(57)【要約】【課題】容易に、積層される光学部品同士の接着信頼性を向上し得る。【解決手段】光集積素子２１において、保持基板４１に、射出成形により抜き勾配が設けられ垂直略断面台形状でなるスペーサ４５が、当該台形における短底辺に相当する底面が保持基板４１と対向するように保持基板４１の光ビームＬの進行方向側に積層されて接着され、複合レンズ４６が、スペーサ４５の断面形状の台形における長底辺に相当する底面に対して積層されて接着されることにより、従来と比してスペーサ４５が保持基板４１と対向する面の面積を変えなくても、スペーサ４５が複合レンズ４６と対向する面の面積を大きくできるので、スペーサ４５が複合レンズ４６と接着する面の面積を大きくでき、容易に、スペーサ４５と複合レンズ４６との接着信頼性を向上できる。【選択図】図４
2010146660.tif 000002
【特許請求の範囲】
【請求項１】
光ビームを出射する光源と、
上記光ビームが光ディスクにより反射されてなる反射光ビームを検出する検出部と、
上記光源と上記検出部が直接的又は間接的に固定されている支持部と、
射出成形による抜き勾配が設けられ、上記光ビームの光軸と平行する断面において略台形状の断面形状でなり、当該台形における短底辺に相当する底面が上記支持部と対向するように上記支持部における上記光ビームの進行方向側に積層されて上記支持部と接着され、上記光ビーム及び上記反射光ビームに対して光学処理を施す第１の光学部品と、
上記第１の光学部品の断面形状の上記台形における長底辺に相当する底面に対して積層されて上記第１の光学部品と接着され、上記光ビーム及び上記反射光ビームに対して光学処理を施す第２の光学部品と
を具える光集積素子。
【請求項２】
上記第２の光学部品の上記光ビームの進行方向側に積層されて上記第２の光学部品と接着され、上記光ビーム及び上記反射光ビームに対して光学処理を施す第３の光学部品と
を具え、
上記第２の光学部品は、
射出成形による抜き勾配が設けられ、上記光ビームの光軸と平行する断面において略台形状でなり、当該台形における長底辺に相当する底面が上記第３の光学部品と対向し、当該台形における短底辺に相当する底面が上記第１の光学部品と対向する
請求項１に記載の光集積素子。
【請求項３】
上記光ビームは、発散光でなり、
上記第１の光学部品に、
上記光ビームが進行するにつれて拡大するビーム径に合わせた底面の大きさでなる略円錐台状の空間でなり面積が小さい方の底面側から面積が大きい方の底面側に上記光ビームを通過させる孔部が形成されている
請求項１に記載の光集積素子。
【請求項４】
上記光ビームは、発散光でなり、
上記第２の光学部品に、
上記光ビームが進行するにつれて拡大するビーム径に合わせた底面の大きさでなる略円錐台状の空間でなり面積が小さい方の底面側から面積が大きい方の底面側に上記光ビームを通過させる孔部が形成されている
請求項２に記載の光集積素子。
【請求項５】
上記第１の光学部品は、
上記抜き勾配が上記孔部における側面の勾配とほぼ同じとなるように成形されている
請求項３に記載の光集積素子。
【請求項６】
上記第２の光学部品は、
上記抜き勾配が上記孔部における側面の勾配とほぼ同じとなるように成形されている
請求項４に記載の光集積素子。
【請求項７】
上記第１の光学部品は、
上記光ビームの通過部分に応じた大きさでなり当該光ビームを通過させる孔部と、上記反射光ビームの通過部分に応じた大きさでなり当該反射光ビームを通過させる孔部とが形成されているスペーサであり、
上記第２の光学部品は、
上記光ビームの通過部分に応じた大きさでなり当該光ビームを通過させる孔部と、上記反射光ビームの通過部分に応じた大きさでなり当該反射光ビームを回折させる回折格子とが形成されている複合レンズであり、
上記第３の光学部品は、
上記光ビーム及び上記反射光ビームの通過部分に応じた大きさでなり当該光ビームを透過させ且つ当該反射光ビームを反射させる反射膜が形成されている積層プリズムである
請求項２に記載の光集積素子。
【請求項８】
光ビームを出射する光源と、
光ディスクに対して上記光ビームを集光して照射する対物レンズと、
上記光ビームが上記光ディスクにより反射されてなる反射光ビームを検出する検出部と、
上記光源と上記検出部が直接的又は間接的に固定されている支持部と、
射出成形による抜き勾配が設けられ、上記光ビームの光軸と並行する断面において略台形状の断面形状でなり、当該台形における短底辺に相当する底面が上記支持部と対向するように上記支持部における上記光ビームの進行方向側に積層されて上記支持部と接着され、上記光ビーム及び上記反射光ビームに対して光学処理を施す第１の光学部品と、
上記第１の光学部品の断面形状の上記台形における長底辺に相当する底面に対して積層されて上記第１の光学部品と接着され、上記光ビーム及び上記反射光ビームに対して光学処理を施す第２の光学部品と
を具える光ピックアップ。
【請求項９】
光ビームを出射する光源と、
光ディスクに対して上記光ビームを集光して照射する対物レンズと、
上記光ビームが上記光ディスクにより反射されてなる反射光ビームを検出し、当該反射光ビームの光量に応じた検出信号を生成する検出部と、
上記検出信号を基に、上記光ビームの焦点と当該光ビームの焦点を合わせるべき目標位置とのずれ量を表すエラー信号を生成する信号処理部と、
上記エラー信号を基に上記対物レンズを駆動制御する駆動部と、
上記光源と上記検出部が直接的又は間接的に固定されている支持部と、
射出成形による抜き勾配が設けられ、上記光ビームの光軸と並行する断面において略台形状の断面形状でなり、当該台形における短底辺に相当する底面が上記支持部と対向するように上記支持部における上記光ビームの進行方向側に積層されて上記支持部と接着され、上記光ビーム及び上記反射光ビームに対して光学処理を施す第１の光学部品と、
上記第１の光学部品の断面形状の上記台形における長底辺に相当する底面に対して積層されて上記第１の光学部品と接着され、上記光ビーム及び上記反射光ビームに対して光学処理を施す第２の光学部品と
を具える光ディスク装置。
【発明の詳細な説明】
【技術分野】
【０００１】
本発明は、光集積素子、光ピックアップ及び光ディスク装置に関し、例えば光ディスク装置に適用して好適なものである。
【背景技術】
【０００２】
従来、光ディスク装置においては、光ビームを光ディスクに照射することにより当該光ディスクに情報を記録し、また光ディスクにより反射された反射光ビームを検出することにより当該光ディスクから情報を再生し得るようになされたものが広く普及している。
【０００３】
このような光ディスク装置は、光ピックアップを有しており、当該光ピックアップが光ディスクに対して光ビームを照射し、また光ディスクにより反射された光ビームの反射光ビームを検出するようになされている。
【０００４】
このような光ピックアップには、光ビームを出射する光源、光ビームの反射光ビームを検出する光検出器、光ビーム又は反射光ビームを回折させる回折格子や透過又は反射させるプリズムなどの各種光学部品が設けられる。
【０００５】
このように光ピックアップ内に設けられる光学部品において、所定の支持部に各種光学部品等が積層されることにより形成された光集積素子が提案されている（例えば、特許文献１参照）。
【特許文献１】特開２００２−９２９３３公報
【発明の開示】
【発明が解決しようとする課題】
【０００６】
上述した光集積素子は、例えば、所定の支持部における光ビームの進行方向側に射出成形により成形された所定の光学部品が積層されて接着され、当該光学部品における光ビームの進行方向側に他の所定の光学部品が積層されて接着されることにより、形成される。
【０００７】
射出成形では金型内で所定の樹脂材料を成形した後成形品を取り出すための抜き勾配が設けられるため、このような光集積素子において射出成形により成形された光学部品は、光ビームの光軸と平行する断面において、略台形状に成形される。
【０００８】
そして、当該光学部品は、当該台形の長底辺に相当する底面、つまり面積の大きい方の底面が下側の支持部と対向する下面となり、当該台形の短底辺に相当する底面、つまり面積の小さい方の底面が上側の光学部品と対向する上面となるように積層される。
【０００９】
ここで、当該光学部品とその上側の光学部品との接着信頼性を向上させるためには、当該光学部品がその上側の光学部品と対向する面、すなわち上面の面積を大きくすることが考えられる。
【００１０】
ところが、当該光学部品は、その断面において面積の小さい方の底面が上面となる略台形状に成形されているため、上面の面積を大きくするためには、それに伴って下面の面積も大きくしなければならない。したがって、このとき、当該光学部品の下面に接着される支持部のサイズも大きくしなければならない。
【００１１】
しかし、光ピックアップの設計上の制約などにより、多くの場合、光集積素子のサイズが限定され、それに伴って支持部のサイズが限定される。この場合、支持部のサイズを大きくするには、これに応じて、例えば光ピックアップ内の他の部品の設計も変更するというような困難な作業を行わなければならない。
【００１２】
このように、上述した光集積素子において、支持部のサイズを大きくすることが難しく、容易に、当該光学部品とその上側の光学部品との接着信頼性を向上させることができなかった。
【００１３】
本発明は以上の点を考慮してなされたもので、容易に、積層される光学部品同士の接着信頼性を向上し得る光集積素子、光ピックアップ及び光ディスク装置を提案しようとするものである。
【課題を解決するための手段】
【００１４】
かかる課題を解決するため本発明の光集積素子においては、光ビームを出射する光源と、光ビームが光ディスクにより反射されてなる反射光ビームを検出する検出部と、光源と検出部が直接的又は間接的に固定されている支持部と、射出成形による抜き勾配が設けられ、光ビームの光軸と並行する断面において略台形状の断面形状でなり、当該台形における短底辺に相当する底面が支持部と対向するように支持部における光ビームの進行方向側に積層されて支持部と接着され、光ビーム及び反射光ビームに対して光学処理を施す第１の光学部品と、第１の光学部品の断面形状の台形における長底辺に相当する底面に対して積層されて上記第１の光学部品と接着され、光ビーム及び反射光ビームに対して光学処理を施す第２の光学部品とを設けるようにした。
【００１５】
こうすることにより、従来と比して、第１の光学部品が支持部と対向する面の面積を変えなくても、第１の光学部品が第２の光学部品と対向する面の面積を大きくすることができ、例えば、光ピックアップ内の他の部品の設計を変更するというような困難な作業を行うことなく、第１の光学部品が第２の光学部品と接着する面の面積を大きくすることができる。
【発明の効果】
【００１６】
本発明によれば、従来と比して、第１の光学部品が支持部と対向する面の面積を変えなくても、第１の光学部品が第２の光学部品と対向する面の面積を大きくすることができ、例えば、光ピックアップ内の他の部品の設計を変更するというような困難な作業を行うことなく、第１の光学部品が第２の光学部品と接着する面の面積を大きくすることができる。かくして、容易に、積層される光学部品同士の接着信頼性を向上し得る光集積素子、光ピックアップ及び光ディスク装置を実現することができる。
【発明を実施するための最良の形態】
【００１７】
以下、発明を実施するための最良の形態（以下実施の形態とする）について説明する。なお、説明は以下の順序で行う。
１．実施の形態
２．他の実施の形態
【００１８】
＜１．第１の実施の形態＞
［１−１．光ディスク装置の構成］
図１に示す光ディスク装置１は、光ディスク１００に情報を記録し、また当該光ディスク１００から情報を再生し得るようになされている。
【００１９】
実際上光ディスク装置１は、ＣＤ（Compact Disc）方式の光ディスク１００Ｃ、ＤＶＤ（Digital Versatile Disc）方式の光ディスク１００Ｄ又はＢＤ（Blu-ray Disc、登録商標）方式の光ディスク１００Ｂのいずれにも対応し得るようになされている。
【００２０】
この光ディスク装置１は、全体として薄型に構成されており、外周を覆う筐体部２の内部に、図示しないスライド機構を介してトレイ部３が組み込まれている。
【００２１】
因みに光ディスク装置１は、例えば薄型のノート型コンピュータ装置等に搭載されることが想定されている。この場合、筐体部２が当該ノート型コンピュータ装置の筐体等に固定される。
【００２２】
トレイ部３は、光ディスク１００の記録又は再生を行う際には筐体部２内に格納され、当該光ディスク１００の着脱時には図１に示したように筐体部２の外部へスライドして露出されるようになされている。
【００２３】
またトレイ部３には、ターンテーブル４Ｔを介して光ディスク１００を回転駆動するスピンドルモータ４Ｍと、送りモータ５Ｍ及びリードスクリュー５Ｓ等により当該光ディスク１００の径方向に移動される光ピックアップ６とが設けられている。
【００２４】
さらにトレイ部３の内部には、各種電子部品が実装された電子回路基板７が組み込まれている。この電子回路基板７は、図２に示すように、全体を統括制御する制御部１１、スピンドルモータ４Ｍ等を駆動させる駆動制御部１２及び各種信号処理を行う信号処理部１３として機能するようになされている。
【００２５】
制御部１１は、光ディスク装置１を統括制御するようになされている。この制御部１１は、図示しないＣＰＵ(Central Processing Unit)と、各種プログラム等が格納されるＲＯＭ(Read Only Memory)と、当該ＣＰＵのワークメモリとして用いられるＲＡＭ(Random
Access Memory)とによって構成されている。
【００２６】
実際上制御部１１は、各種プログラムを実行することにより、駆動制御部１２を介してスピンドルモータ４Ｍを回転駆動させ、ターンテーブル４Ｔに装着された光ディスク１００を所望の速度で回転させる。また制御部１１は、駆動制御部１２を介して送りモータ５Ｍを駆動させることにより、リードスクリュー５Ｓ及びスライドレール５Ｌ等に沿って光ピックアップ６を光ディスク１００の内周側又は外周側へ向かう方向であるトラッキング方向に大きく移動させる。
【００２７】
さらに制御部１１は、駆動制御部１２を介して光ピックアップ６のアクチュエータ８を駆動制御する。これにより制御部１１は、対物レンズ９が搭載されたレンズホルダ１０を光ディスク１００に近接させ又は離隔させる方向であるフォーカス方向に移動させると共にトラッキング方向に細かく移動させ、当該対物レンズ９の位置調整を行う。
【００２８】
因みにレンズホルダ１０には、ＢＤ方式の光ディスク１００Ｂに対応する対物レンズ９Ｂと、ＤＶＤ方式の光ディスク１００Ｄ及びＣＤ方式の光ディスク１００Ｃの双方に対応する対物レンズ９Ｄとが設けられている。説明の都合上、以下では対物レンズ９Ｂ及び対物レンズ９Ｄをまとめて対物レンズ９と呼ぶ。
【００２９】
制御部１１は、例えば光ディスク１００に情報を記録する場合、当該情報を信号処理部１３へ供給して所定の符号化処理及び変調処理等を施すことにより、当該情報に応じたレーザ制御信号を生成し、これを光ピックアップ６へ供給する。
【００３０】
光ピックアップ６は、信号処理部１３から供給されるレーザ制御信号に基づき、光強度が比較的大きい情報記録用の光ビームを出射する。続いて光ピックアップ６は、位置調整された対物レンズ９を介して当該光ビームを光ディスク１００へ照射する。これにより光ピックアップ６は、当該光ディスク１００に情報を記録することができる。
【００３１】
また制御部１１は、光ディスク１００から情報を再生する場合、信号処理部１３から光ピックアップ６へレーザ制御信号を供給することにより、当該光ピックアップ６から光ディスク１００に対して光強度が比較的小さい情報再生用の光ビームを照射させる。これと共に光ピックアップ６は、当該光ビームが反射されてなる反射光ビームを検出し、その検出結果に応じた検出信号を生成し信号処理部１３へ供給する。
【００３２】
信号処理部１３は、検出信号を基に再生信号を生成し、これに所定の復調処理や復号化処理等を施すことにより、光ディスク１００に記録されている情報を再生し得るようになされている。
【００３３】
さらに信号処理部１３は、検出信号を基にフォーカスエラー信号及びトラッキングエラー信号を生成し、これらを駆動制御部１２へ供給することにより、対物レンズ９のフォーカス制御及びトラッキング制御を行うようになされている。
【００３４】
このように光ディスク装置１は、光ピックアップ６における対物レンズ９の位置調整を行った上で、当該対物レンズ９を介して光ビームを光ディスク１００へ照射することにより、情報の記録又は再生を行い得るようになされている。
【００３５】
［１−２．光ピックアップの構成］
図３に示すように、光ピックアップ６は、ピックアップベース２０を中心に構成されている。このピックアップベース２０は、全体として扁平な板状に構成されると共に、スピンドルモータ４Ｍ及びターンテーブル４Ｔに対応して、内周側が円弧状に切り落とされたような形状となっている。またピックアップベース２０には、その内部に各種光学部品が設けられている。
【００３６】
実際上光ピックアップ６は、２系統の光学系、すなわちＢＤ方式の光ディスク１００Ｂに対応するＢＤ光学系６Ｂと、ＤＶＤ方式の光ディスク１００Ｄ及びＣＤ方式の光ディスク１００Ｃの双方に対応するＤＶＤ／ＣＤ光学系６Ｄとにより構成されている。
【００３７】
ＢＤ光学系６Ｂは、図３と対応する図４に示すように、光集積素子２１、１／４波長板２２、コリメータレンズ２３と、上述した対物レンズ９Ｂとにより構成されている。
【００３８】
光集積素子２１は、複数の光学部品等が一体に構成されており、光ディスク１００へ照射するための光ビームを出射すると共に、当該光ディスク１００により反射された反射光ビームを受光し、その受光結果に応じた検出信号を出力するようになされている。
【００３９】
光集積素子２１は、略平板状に構成された保持基板４１を中心に構成されている。保持基板４１は、セラミック等の材料によって構成されており、その下面（図４における下側の面）に、略円筒状のレーザホルダ４２を介して、いわゆるＣＡＮパッケージでなるレーザダイオード４３が取り付けられるようになされている。
【００４０】
レーザダイオード４３は、その内部にレーザチップを有しており、当該レーザチップの端面からＢＤ方式に対応した波長約４０５［ｎｍ］の発散光でなるレーザ光を光ビームＬとして出射し得るようになされている。
【００４１】
また保持基板４１には、当該光ビームＬを下面側からその反対面である上面側へ通過させる孔部４１Ｈが設けられている。
【００４２】
一方、ピックアップベース２０（図３）には、レーザドライバ２４が設けられている。このレーザドライバ２４は、信号処理部１３から供給されるレーザ制御信号を基に、レーザダイオード４３へ供給すべきレーザ駆動信号ＤＬを生成するようになされている。
【００４３】
実際上レーザダイオード４３は、レーザドライバ２４からレーザ駆動信号ＤＬの供給を受けると、当該レーザ駆動信号ＤＬの電圧や電流に応じた光強度でなる波長約４０５［ｎｍ］の光ビームＬを出射する。因みに光ビームＬはＰ偏光となる。
【００４４】
光ビームＬは、保持基板４１の孔部４１Ｈを通過することにより、当該保持基板４１の上面側へ向かって進行する。
【００４５】
保持基板４１の上面側には、スペーサ４５、複合レンズ４６及び積層プリズム４７が順次積層して取り付けられている。
【００４６】
スペーサ４５は、所定の樹脂材料が射出成形されることにより、全体として略直方体状に成形されると共に、図の上下方向に貫通する孔部４５Ｈ１及び４５Ｈ２が設けられている。因みにスペーサ４５は、保持基板４１に対し所定の接着剤により接着固定されている。
【００４７】
複合レンズ４６は、透明な樹脂材料が射出成形されることにより、全体として略直方体状に成形されると共に、図の上下方向に貫通する孔部４６Ｈが設けられている。
【００４８】
孔部４６Ｈは、光ビームＬの通過部分に合わせて略円錐台状の空間として形成されており、発散光でなる光ビームＬが上方向へ進行するに連れてそのビーム径を拡大させていくことに合わせて、その上底面が下底面よりも大きくなるようになされている。
【００４９】
因みに複合レンズ４６は、スペーサ４５の場合と同様に、当該スペーサ４５に対して所定の接着剤により接着固定されている。
【００５０】
実際上光ビームＬは、スペーサ４５の下面側から上面側へと孔部４５Ｈ１を通過し、複合レンズ４６の下面側から上面側へと孔部４６Ｈを通過して、積層プリズム４７へ入射される。
【００５１】
積層プリズム４７は、透明なガラス材料が複数の接合面を介してそれぞれ接合されることにより、全体として略直方体状に形成されている。因みに積層プリズム４７は、複合レンズ４６及びスペーサ４５の場合と同様に、当該複合レンズ４６に対して所定の接着剤により接着固定されている。
【００５２】
積層プリズム４７の各接合面には、光ビームをそれぞれ所定の透過率及び反射率で透過及び反射させる反射膜４７Ａ、４７Ｂ及び４７Ｃが形成されている。
【００５３】
反射膜４７Ａは、光の偏光方向に応じて反射率及び透過率が相違する、いわゆる偏光ビームスプリッタとなっており、例えばＰ偏光をほぼ全て透過する一方、Ｓ偏光をほぼ全て反射するようになされている。
【００５４】
実際上積層プリズム４７は、反射膜４７ＡにおいてＰ偏光でなる光ビームＬをほぼ全て透過させ、１／４波長板２２へ入射させる。
【００５５】
１／４波長板２２は、光ビームを直線偏光と円偏光との間で相互変換するようになされており、例えばＰ偏光と左円偏光とを相互変換し、またＳ偏光と右円偏光とを相互変換するようになされている。
【００５６】
実際上１／４波長板２２は、Ｐ偏光でなる光ビームＬを左円偏光に変換し、コリメータレンズ２３へ入射させる。コリメータレンズ２３は、発散光でなる光ビームＬを平行光に変換し、対物レンズ９Ｂへ入射させる。
【００５７】
ところでピックアップベース２０（図３）では、光集積素子２１から出射され１／４波長板２２及びコリメータレンズ２３を順次透過する光ビームＬを、水平方向（すなわち光ディスク１００の記録面とほぼ平行な方向）へ進行させている。
【００５８】
コリメータレンズ２３から出射された光ビームＬは、立上ミラー２５で反射されることにより、垂直方向（すなわち光ディスク１００の記録面にほぼ垂直な方向）へ進行し、対物レンズ９Ｂ（図４）へ入射されるようになされている。
【００５９】
対物レンズ９Ｂは、光ビームＬを集光し、光ディスク１００へ向けて照射する。このとき光ビームＬは、当該光ディスク１００の記録面において反射され、光ビームＬと反対方向へ向かう反射光ビームＬｒとなる。
【００６０】
また反射光ビームＬｒは、光ディスク１００の記録面において反射された際、円偏光における回転方向が反転されることにより、右円偏光となる。
【００６１】
反射光ビームＬｒは、対物レンズ９Ｂにより平行光に変換された後、立上ミラー２５（図３）に反射されることにより水平方向へ進行する。さらに反射光ビームＬｒは、図４に示すように、コリメータレンズ２３により収束光に変換され、１／４波長板２２により右円偏光からＳ偏光（すなわち直線偏光）に変換された上で、光集積素子２１へ入射される。
【００６２】
光集積素子２１の積層プリズム４７は、Ｓ偏光でなる反射光ビームＬｒを反射膜４７Ａにおいて反射し、反射膜４７Ｂへ照射する。反射膜４７Ｂは、いわゆるハーフミラーと同様に光の透過率が約５０％となされており、反射光ビームＬｒを約５０％の割合で反射する。
【００６３】
反射光ビームＬｒは、積層プリズム４７の反射膜４７Ｂにおいて反射されることにより下方向へ進行し、複合レンズ４６へ入射される。複合レンズ４６の上面には、反射膜４７Ｂにより反射された反射光ビームＬｒが入射される箇所に回折格子５１が形成されている。
【００６４】
回折格子５１は、反射光ビームＬｒを回折させることにより、複数の光ビームに分割し、複合レンズ４６の下面からほぼ下方向へ向けて出射する。反射光ビームＬｒは、スペーサ４５の孔部４５Ｈ２を通過してフォトディテクタ４４へ照射される。
【００６５】
フォトディテクタ４４は、全体として薄板状に構成され、保持基板４１の上面に取り付けられている。フォトディテクタ４４の上面には、回折格子５１により回折された反射光ビームＬｒが照射される箇所に、複数の光検出器が組み合わされてなる光検出部５２が設けられている。
【００６６】
また積層プリズム４７の反射膜４７Ｂは、反射光ビームＬｒのうち約５０％を透過させる。そして、反射光ビームＬｒは、反射膜４７Ｃにおいて反射されることにより下方向へ進行し、複合レンズ４６へ入射される。
【００６７】
複合レンズ４６の上面には、反射膜４７Ｃにより反射された反射光ビームＬｒが入射される箇所に、すなわち回折格子５１からやや離れた箇所に、回折格子５３が形成されている。回折格子５３は、反射光ビームＬｒを回折させることにより、複数の光ビームに分割し、複合レンズ４６の下面からほぼ下方向へ向けて出射する。
【００６８】
反射光ビームＬｒは、スペーサ４５の孔部４５Ｈ２を通過してフォトディテクタ４４へ照射される。
【００６９】
フォトディテクタ４４の上面には、回折格子５３により回折された反射光ビームＬｒが照射される箇所に、すなわち光検出部５２からやや離れた箇所に、複数の光検出器が組み合わされてなる光検出部５４が設けられている。
【００７０】
フォトディテクタ４４は、光検出部５２及び５４の各光検出器において、それぞれ受光した光の強度に応じた検出信号を生成する。さらにフォトディテクタ４４は、図示しない増幅回路により検出信号をそれぞれ増幅し、保持基板４１の下面に設けられた端子群４１Ｔを介して、当該検出信号を信号処理部１３（図２）へ供給するようになされている。
【００７１】
これに応じて信号処理部１３は、複数の検出信号に対し所定の演算処理を施すことにより、上述したフォーカスエラー信号及びトラッキングエラー信号をそれぞれ生成するようになされている。
【００７２】
このようにＢＤ光学系６Ｂは、光集積素子２１に組み込まれたレーザダイオード４３から光ビームＬを出射させ、各種光学部品を介して、ＢＤ方式の光ディスク１００へ照射するようになされている。
【００７３】
またＢＤ光学系６Ｂは、光ビームＬが光ディスク１００の記録面において反射されてなる反射光ビームＬｒを、各種光学部品を介して光集積素子２１のフォトディテクタ４４により受光し、その受光結果に応じた検出信号を生成するようになされている。
【００７４】
因みにＤＶＤ／ＣＤ光学系６Ｄは、全体としてＢＤ光学系６Ｂと類似した構成となっている。ＤＶＤ／ＣＤ光学系６Ｄは、図３と対応する図５に示すように、光集積素子２１、１／４波長板２２及びコリメータレンズ２３とそれぞれ対応する光集積素子３１、１／４波長板３２及びコリメータレンズ３３を有している。またＤＶＤ／ＣＤ光学系６Ｄは、ＢＤ光学系６Ｂにおける対物レンズ９Ｂに代えて、対物レンズ９Ｄを用いるようになされている。
【００７５】
光集積素子３１は、ＤＶＤ方式又はＣＤ方式の光ディスク１００へ照射するための光ビームＬを出射すると共に、当該光ディスク１００により反射された反射光ビームＬｒを受光し、その受光結果に応じた検出信号を出力するようになされている。
【００７６】
光集積素子３１は、ＢＤ光学系６Ｂの光集積素子２１と同様に、略平板状に構成された保持基板６１を中心に構成されている。保持基板６１は、その下面にレーザホルダ６２を介してレーザダイオード６３が取り付けられるようになされている。
【００７７】
レーザダイオード６３は、ＤＶＤ方式に対応した波長約６６０［ｎｍ］の発散光でなるレーザ光、又はＣＤ方式に対応した波長約７８０［ｎｍ］の発散光でなるレーザ光を光ビームＬとして出射し得るようになされている。
【００７８】
実際上、レーザダイオード６３から出射された光ビームＬは、保持基板６１に設けられた孔部６１Ｈを通過することにより、当該保持基板６１の下面側から上面側へ向かって進行する。
【００７９】
保持基板６１の上面側には、ＢＤ光学系６Ｂの光集積素子２１と同様に、スペーサ６５、複合レンズ６６及び積層プリズム６７が順次積層して取り付けられている。
【００８０】
実際上光ビームＬは、スペーサ６５に設けられた孔部６５Ｈ１を通過し、複合レンズ６６に設けられたカップリングレンズ６６Ｓにより所定の発散角に変換されて、積層プリズム６７へ入射される。
【００８１】
積層プリズム６７の各接合面には、光ビームＬをそれぞれ所定の透過率及び反射率で透過及び反射させる反射膜６７Ａ及び６７Ｂが形成されている。
【００８２】
実際上積層プリズム６７は、反射膜６７Ａにおいて複合レンズ６６より入射された光ビームＬを所定の透過率で透過させ、１／４波長板３２へ入射させる。
【００８３】
１／４波長板３２に入射された光ビームＬは、ＢＤ光学系６Ｂと同様に、コリメータレンズ３３及び対物レンズ９Ｄを介して、光ディスク１００へ向けて照射される。このとき光ビームＬは、当該光ディスク１００の記録面において反射され、光ビームＬと反対方向へ向かう反射光ビームＬｒとなる。
【００８４】
反射光ビームＬｒは、ＢＤ光学系６Ｂと同様に、対物レンズ９Ｄ、コリメータレンズ３３及び１／４波長板３２を介して、光集積素子３１へ入射される。
【００８５】
光集積素子３１の積層プリズム６７は、反射光ビームＬｒを、反射膜６７Ａにおいて所定の反射率で反射し、反射膜６７Ｂに照射する。反射光ビームＬｒは、積層プリズム６７の反射膜６７Ｂにおいて所定の反射率で反射されることにより下方向へ進行し、複合レンズ６６へ入射される。
【００８６】
複合レンズ６６の上面に設けられた回折格子７１は、反射光ビームＬｒを回折することにより複数の光ビームに分割し、複合レンズ６６の下面からほぼ下方向へ向けて出射する。
【００８７】
反射光ビームＬｒは、スペーサ６５に設けられた孔部６５Ｈ２を通過してフォトディテクタ６４へ照射される。
【００８８】
フォトディテクタ６４は、上面に設けられた光検出部７２において受光した光の強度に応じた検出信号を生成する。
【００８９】
このようにＤＶＤ／ＣＤ光学系６Ｄは、ＢＤ光学系６Ｂと同様に、光集積素子３１から光ビームＬを出射させ、各種光学部品を介して、ＤＶＤ方式又はＣＤ方式の光ディスク１００へ照射するようになされている。
【００９０】
またＤＶＤ／ＣＤ光学系６Ｄは、ＢＤ光学系６Ｂと同様に、光ビームＬが光ディスク１００に反射されてなる反射光ビームＬｒを、各種光学部品を介して光集積素子３１により受光し、その受光結果に応じた検出信号を生成するようになされている。
【００９１】
［１−３．光集積素子の形状］
ここで、上述した光集積素子の形状についてさらに詳しく説明する。上述したように、図４に示すＢＤ光学系６Ｂの光集積素子２１は、略平板状に構成された保持基板４１を中心に構成されている。保持基板４１の上側にはスペーサ４５が取り付けられており、当該スペーサ４５の上側には複合レンズ４６が取り付けられており、当該複合レンズ４６の上側には積層プリズム４７が取り付けられている。
【００９２】
保持基板４１は、上述したように、その下面にレーザホルダ４２を介してレーザダイオード４３が取り付けられるようになされている。実際上、レーザダイオード４３から出射される光ビームＬは、下面側から保持基板４１に設けられた孔部４１Ｈを通過し上面側へ向かって進行するようになされている。また、保持基板４１の上面には、孔部４１Ｈの開口部をふさがない位置に、薄板状に構成されたフォトディテクタ４４が取り付けられている。
【００９３】
スペーサ４５は、その下面が保持基板４１の孔部４１Ｈの開口部及びフォトディテクタ４４を覆うような大きさでなり、保持基板４１の孔部４１Ｈの開口部及びフォトディテクタ４４を覆うようにして保持基板４１の上面に取り付けられている。
【００９４】
スペーサ４５は、全体として所定の樹脂材料が射出成形されることにより成形されている。射出成形では、金型内に所定の樹脂材料を充填して成形した後に金型から成形品を取り出すために、成形品の側面に抜き勾配が設けられる。
【００９５】
したがって、図４に示すように、スペーサ４５には、側面に所定の角度の抜き勾配が設けられている。スペーサ４５は、略直方体に成形されていると上述したが、厳密には、下面から上面に向かって幅広となる垂直断面略台形状であり、上面の面積が下面の面積よりも大きい略四角錐台状に成形されている。
【００９６】
つまり、スペーサ４５において、保持基板４１と対向する下面の面積より、複合レンズ４６と対向する上面の面積の方が大きくなるようになされている。
【００９７】
また、スペーサ４５は、複合レンズ４６から入射される反射光ビームＬｒが適切にフォトディテクタ４４の光検出部５２及び５４において検出されるように当該反射光ビームＬｒの進行距離が確保されるよう、所定の高さ（図の上下方向の厚み）で成形されている。
【００９８】
さらに、スペーサ４５には、図の上下方向に貫通する孔部４５Ｈ１及び孔部４５Ｈ２が設けられている。
【００９９】
孔部４５Ｈ１は、保持基板４１から入射される光ビームＬを下面側から上面側へと通過させるために設けられており、上方向に進行するにつれビーム径を拡大させていく光ビームＬのビーム径に応じた大きさの略四角柱状の空間として成形されている。
【０１００】
孔部４５Ｈ２は、複合レンズ４６から入射される反射光ビームＬｒを上面側から下面側へと通過させるために設けられており、反射光ビームＬｒを干渉しないような大きさの略四角柱状の空間として成形されている。
【０１０１】
このようにスペーサ４５は、光ビームＬ及び反射光ビームＬｒを干渉する位置に孔部４５Ｈ１及び孔部４５Ｈ２が設けられることにより、当該光ビームＬ及び反射光ビームＬｒを干渉せずに通過させるようになされている。
【０１０２】
また、図６に示すように、スペーサ４５の下面において、中央に孔部４５Ｈ１の開口部及び孔部４５Ｈ２の開口部が並んで位置しており、一端側（図の左側）寄りに孔部４５Ｈ１の開口部が位置し、他端側（図の右側）寄りに孔部４５Ｈ２の開口部が位置している。
【０１０３】
さらに、スペーサ４５の下面には、孔部４５Ｈ１の開口部よりも外側に、平面視においてアルファベットＥの字の形状で下側に突出した凸部４５Ｃ１が設けられている。また、当該下面には、孔部４５Ｈ２の開口部よりも外側に、平面視においてアルファベットＥの字を左右反転させた形状で下側に突出した凸部４５Ｃ２が設けられている。これら凸部４５Ｃ１及び凸部４５Ｃ２をまとめて、凸部４５Ｃとも呼ぶ。
【０１０４】
凸部４５Ｃの下面は平坦に成形され、この下面がスペーサ４５と保持基板４１との接着面となる。そして、スペーサ４５の凸部４５Ｃの下面と保持基板４１の上面とが所定の接着剤により接着されることにより、スペーサ４５と保持基板４１とが接着固定される。
【０１０５】
因みに、図４に示すように、スペーサ４５は、孔部４５Ｈ１が保持基板４１の孔部４１Ｈのほぼ真上に位置し、孔部４５Ｈ２が保持基板４１の上面に取り付けられたフォトディテクタ４４のほぼ真上に位置するように、保持基板４１と接着固定される。
【０１０６】
このことにより、レーザダイオード４３から出射され保持基板４１の孔部４１Ｈを通過した光ビームＬが、スペーサ４５によって干渉されずに、スペーサ４５の孔部４５Ｈ１を通過して複合レンズ４６に入射するようになされている。
【０１０７】
また、このことにより、複合レンズ４６の下面から入射された反射光ビームＬｒが、スペーサ４５によって干渉されずに、スペーサ４５の孔部４５Ｈ２を通過してフォトディテクタ４４に照射するようになされている。
【０１０８】
複合レンズ４６は、その下面がスペーサ４５の上面とほぼ同じ大きさになされており、スペーサ４５の上面をほぼ全て覆うようにしてスペーサ４５の上面に取り付けられている。
【０１０９】
複合レンズ４６は、全体として透明の樹脂材料が射出成形されることにより成形されている。したがって、図４に示すように、複合レンズ４６には、側面に所定の角度の抜き勾配が設けられている。複合レンズ４６は、略直方体に成形されていると上述したが、厳密には、下面から上面に向かって幅広となる垂直断面略台形状であり、上面の面積が下面の面積よりも大きい略四角錐台状に成形されている。
【０１１０】
つまり、複合レンズ４６において、スペーサ４５と対向する下面の面積より、積層プリズム４７と対向する上面の面積の方が大きくなるようになされている。
【０１１１】
また、複合レンズ４６は、所定の高さ（例えばスペーサ４５よりも低い高さ）で成形されている。
【０１１２】
さらに、複合レンズ４６には、スペーサ４５から入射される光ビームＬを下面側から上面側へと通過させるために、図の上下方向に貫通する孔部４６Ｈが設けられている。孔部４６Ｈは、略円錐台状の空間として成形されており、光ビームＬが上方向へ進行するにつれてそのビーム径を拡大させていくことに合わせて、その上底面が下底面よりも大きくなるようになされている。また、複合レンズ４６における抜き勾配は、孔部４６Ｈの側面の勾配とほぼ同じ角度となるようになされている。
【０１１３】
このように複合レンズ４６は、光ビームＬを干渉する位置に孔部４６Ｈが設けられていることにより当該光ビームＬを干渉せずに通過させるようになされている。
【０１１４】
また、図７（Ａ）に示すように、複合レンズ４６の上面において、中央よりも一端側（図の左側）に孔部４６Ｈの開口部が位置し、他端側（図の右側）に回折格子５１及び５３が位置している。回折格子５１及び５３は、反射光ビームＬｒを回折し、複数の光ビームに分割するようになされている。
【０１１５】
さらに、複合レンズ４６の上面には、四隅のそれぞれに凸部４６Ｃ１〜４６Ｃ４（これらをまとめて凸部４６Ｃとも呼ぶ）が設けられている。
【０１１６】
凸部４６Ｃ１は、孔部４６Ｈの開口部よりも外側に位置し、孔部４６Ｈの開口部の形状に合わせて、正方形の右下隅が円弧状に切り落とされたような形状で上側に突出している。
【０１１７】
凸部４６Ｃ２は、孔部４６Ｈの開口部よりも外側に位置し、正方形の右上隅が円弧状に切り落とされたような形状で上側に突出している。
【０１１８】
凸部４６Ｃ３及び４６Ｃ４は、それぞれ回折格子５１及び５３に入射する反射光ビームＬｒを干渉しないように回折格子５３よりも外側に位置し、略正方形の形状で上側に突出している。
【０１１９】
また、図７（Ｂ）に示すように、複合レンズ４６の下面において、中央よりも一端側（図の左側）に孔部４６Ｈの開口部が位置している。
【０１２０】
さらに、複合レンズ４６の下面には、四隅のそれぞれに、略正方形の形状で下側に突出した凸部４６Ｄ１〜４６Ｄ４（これらをまとめて凸部４６Ｄとも呼ぶ）が設けられている。
【０１２１】
凸部４６Ｄ１及び４６Ｄ２は、それぞれ、孔部４６Ｈの開口部よりも外側に位置している。凸部４６Ｄ３及び４６Ｄ４は、それぞれ、回折格子５１及び５３により分割された反射光ビームＬｒを干渉しないようになされている。
【０１２２】
図４に示すように、凸部４６Ｄの下面は平坦に成形され、この下面が複合レンズ４６とスペーサ４５との接着面となる。そして、複合レンズ４６の凸部４６Ｃの下面とスペーサ４５の上面とが所定の接着剤により接着されることにより、複合レンズ４６とスペーサ４５とが接着固定される。
【０１２３】
因みに、複合レンズ４６は、孔部４６Ｈがスペーサ４５の孔部４５Ｈ１のほぼ真上に位置し、回折格子５１及び５３がスペーサ４５の孔部４５Ｈ２のほぼ真上に位置するように、スペーサ４５と接着固定される。
【０１２４】
このことにより、スペーサ４５から入射された光ビームＬが、複合レンズ４６によって干渉されずに、複合レンズ４６の孔部４６Ｈを通過して積層プリズム４７に入射するようになされている。
【０１２５】
また、このことにより、複合レンズ４６の回折格子５１及び５３により分割された反射光ビームＬｒがスペーサ４５の孔部４５Ｈ２に入射するようになされている。
【０１２６】
また、凸部４６Ｃの上面は平坦に成形され、この上面が複合レンズ４６と積層プリズム４７との接着面となる。そして、複合レンズ４６の凸部４６Ｃの上面と積層プリズム４７の下面とが所定の接着剤により接着されることにより、複合レンズ４６と積層プリズム４７とが接着固定される。
【０１２７】
積層プリズム４７は、その下面が複合レンズ４６の上面とほぼ同じ大きさになされており、複合レンズ４６の上面をほぼ全て覆うようにして複合レンズ４６の上面に取り付けられている。
【０１２８】
上述したように、積層プリズム４７は、透明なガラス材料が複数の接合面を介してそれぞれ接合されることにより、全体として略直方体状に形成されている。積層プリズム４７の各接合面には、反射膜４７Ａ、４７Ｂ及び４７Ｃが形成されており、光ビームをそれぞれ所定の透過率及び反射率で透過及び反射させるようになされている。
【０１２９】
積層プリズム４７は、反射膜４７Ａが複合レンズ４６の孔部４６Ｈのほぼ真上に位置し、反射膜４７Ｂが複合レンズ４６の回折格子５１のほぼ真上に位置し、反射膜４７Ｃが複合レンズ４６の回折格子５３のほぼ真上に位置するように、複合レンズ４６と接着固定される。
【０１３０】
このことにより、複合レンズ４６の孔部４６Ｈを通過した光ビームＬが積層プリズム４７の反射膜４７Ａに入射するようになされている。
【０１３１】
また、このことにより、積層プリズム４７の反射膜４７Ｂで反射された反射光ビームＬｒが複合レンズ４６の回折格子５１に入射し、積層プリズム４７の反射膜４７Ｃで反射された反射光ビームＬｒが複合レンズ４６の回折格子５３に入射するようになされている。
【０１３２】
このようにＢＤ光学系６Ｂの光集積素子２１は、保持基板４１の上側に、射出成形により成形されたスペーサ４５及び複合レンズ４６がそれぞれ面積の大きい方の底面を上面として取り付けられ、その上に積層プリズム４７が取り付けられることにより形成されている。
【０１３３】
なお、ここでは、上述したようなスペーサ４５、複合レンズ４６及び積層プリズム４７が光ビームＬ及び反射光ビームＬｒを通過、回折、透過及び反射などさせることを光学処理と呼ぶことにする。そして、ここでは、このような光学処理を施すスペーサ４５、複合レンズ４６及び積層プリズム４７も光学部品と呼ぶことにする。
【０１３４】
因みにＤＶＤ／ＣＤ光学系６Ｄの光集積素子３１は、全体としてＢＤ光学系６Ｂの光集積素子２１と類似した構成となっている。すなわち、この光集積素子３１は、図５に示すように、保持基板６１、レーザホルダ６２、レーザダイオード６３、フォトディテクタ６４、スペーサ６５、複合レンズ６６及び積層プリズム６７を有している。
【０１３５】
光集積素子３１は、ＢＤ光学系６Ｂの光集積素子２１と同様に、略平板状に構成された保持基板６１を中心に構成されている。保持基板６１の上側にはスペーサ６５が取り付けられており、当該スペーサ６５の上側には複合レンズ６６が取り付けられており、当該複合レンズ６６の上側には積層プリズム６７が取り付けられている。
【０１３６】
保持基板６１では、ＢＤ光学系６Ｂの光集積素子２１と同様に、その下面にレーザホルダ６２を介してレーザダイオード６３が取り付けられるようになされており、レーザダイオード６３から出射される光ビームＬを通過させる孔部６１Ｈが設けられている。また、保持基板６１の上面には、薄板状に構成されたフォトディテクタ６４が取り付けられている。
【０１３７】
スペーサ６５は、ＢＤ光学系６Ｂの光集積素子２１と同様に、保持基板６１の孔部６１Ｈの開口部及びフォトディテクタ６４を覆うようにして保持基板６１の上面に取り付けられている。
【０１３８】
スペーサ６５は、ＢＤ光学系６Ｂの光集積素子２１と同様に、全体として射出成形により成形されており、側面に所定の角度の抜き勾配が設けられている。スペーサ６５は、複合レンズ６６と対向する上面の面積が保持基板６１と対向する下面の面積よりも大きい略四角錐台状に成形されている。
【０１３９】
また、スペーサ６５には、ＢＤ光学系６Ｂの光集積素子２１と同様に、光ビームＬ及び反射光ビームＬｒを通過させるために、図の上下方向に貫通する孔部６５Ｈ１及び孔部６５Ｈ２が設けられている。
【０１４０】
さらに、スペーサ６５には、ＢＤ光学系６Ｂの光集積素子２１と同様に、その下面に下側に突出する凸部６５Ｃが設けられており、凸部６５Ｃの下面を接着面として、保持基板６１の上面と接着固定されている。
【０１４１】
複合レンズ６６は、ＢＤ光学系６Ｂの光集積素子２１と同様に、その下面がスペーサ６５の上面とほぼ同じ大きさになされており、スペーサ６５の上面をほぼ全て覆うようにしてスペーサ６５の上面に取り付けられている。
【０１４２】
複合レンズ６６は、ＢＤ光学系６Ｂの光集積素子２１と同様に、全体として射出成形により成形されており、側面に所定の角度の抜き勾配が設けられている。複合レンズ６６は、積層プリズム６７と対向する上面の面積がスペーサ６５と対向する下面の面積よりも大きい略四角錐台状に成形されている。
【０１４３】
また、複合レンズ６６の上面には、ＢＤ光学系６Ｂの光集積素子２１とは異なり、光ビームＬを所定の発散角に変換するカップリングレンズ６６Ｓと反射光ビームＬｒを回折し、複数の光ビームに分割する回折格子７１とが形成されている。
【０１４４】
さらに、複合レンズ６６には、ＢＤ光学系６Ｂの光集積素子２１と同様に、その上面に上側に突出する凸部６６Ｃが設けられており、その下面に下側に突出する凸部６６Ｄが設けられている。
【０１４５】
そして、複合レンズ６６は、凸部６６Ｄの下面を接着面として、スペーサ６５の上面と接着固定されており、凸部６６Ｃの上面を接着面として、積層プリズム６７の下面と接着固定されている。
【０１４６】
積層プリズム６７は、その下面が複合レンズ６６の上面とほぼ同じ大きさになされており、複合レンズ６６の上面をほぼ全て覆うようにして複合レンズ６６の上面に取り付けられている。
【０１４７】
積層プリズム６７は、全体として略直方体状に形成されており、光ビームをそれぞれ所定の透過率及び反射率で透過及び反射させる反射膜６７Ａ及び６７Ｂが形成されている。
【０１４８】
このように、ＤＶＤ／ＣＤ光学系６Ｄの光集積素子３１でも、ＢＤ光学系６Ｂの光集積素子２１と同様に、保持基板６１の上側に、射出成形により成形されたスペーサ６５及び複合レンズ６６がそれぞれ面積の大きい方の底面を上面として取り付けられ、その上に積層プリズム６７が取り付けられる。
【０１４９】
［１−４．動作及び効果］
以上の構成において、光ディスク装置１における光ピックアップ６の光集積素子２１では、保持基板４１に、光ビームＬを出射するレーザダイオード４３が取り付けられている。さらに、保持基板４１には、光ビームＬが光ディスク１００に反射されてなる反射光ビームＬｒを検出し、検出した光の強度に応じた検出信号を生成する光検出部５２及び５４が取り付けられている。
【０１５０】
また、保持基板４１の上面側、すなわち当該保持基板４１における光ビームＬの進行方向側には、射出成形による抜き勾配が設けられているスペーサ４５が積層され、保持基板４１と接着されている。
【０１５１】
スペーサ４５は、垂直断面、すなわち光ビームＬの光軸と平行する断面において略台形状で成形されており、当該台形における短い方の底辺（これを、短底辺とも呼ぶ）に相当する底面、すなわち下面が保持基板４１と対向するようになされている。
【０１５２】
また、スペーサ４５は、光ビームＬ及び反射光ビームＬｒを干渉する位置に孔部４５Ｈ１及び孔部４５Ｈ２が設けられることにより、当該光ビームＬ及び反射光ビームＬｒを干渉せずに通過させるようになされている。
【０１５３】
さらに、スペーサ４５の上面、すなわちスペーサ４５の断面形状の台形における長い方の底辺（これを、長底辺とも呼ぶ）に相当する底面に対して、射出成形による抜き勾配が設けられている複合レンズ４６が積層され、スペーサ４５と接着されている。
【０１５４】
複合レンズ４６は、垂直断面、すなわち光ビームＬの光軸と平行する断面において略台形状で成形されており、当該台形における短底辺に相当する底面、すなわち下面がスペーサ４５と対向するようになされている。
【０１５５】
また、複合レンズ４６は、光ビームＬを干渉する位置に孔部４６Ｈが設けられていることにより当該光ビームＬを干渉せずに通過させるようになされている。また、複合レンズ４６は、反射光ビームＬｒを回折格子５１及び５３により回折して複数の光に分割するようになされている。
【０１５６】
さらに、複合レンズ４６の上面、すなわち複合レンズ４６の断面形状の台形における長底辺に相当する底面に対して、積層プリズム４７が積層され、複合レンズ４６と接着されている。
【０１５７】
積層プリズム４７は、反射膜４７Ａ、４７Ｂ及び４７Ｃにより光ビームＬ及び反射光ビームＬｒを所定の透過率及び反射率で透過及び反射させるようになされている。
【０１５８】
こうすることにより、スペーサ４５が面積の小さい方の底面を上面として垂直断面略台形状に成形され積層されている場合と比較して、スペーサ４５の下面の面積を変えなくても、上面の面積を大きくすることができる。すなわち、スペーサ４５が保持基板４１と対向する面の面積を変えなくても、スペーサ４５が複合レンズ４６と対向する面の面積を大きくすることができる。
【０１５９】
したがって、保持基板４１のサイズを変えなくても、スペーサ４５が複合レンズ４６と接着する面の面積、すなわち、凸部４６Ｄの下面の面積を大きくすることができ、スペーサ４５と複合レンズ４６との接着信頼性を向上させることができる。
【０１６０】
さらに、保持基板４１のサイズを変えなくても、スペーサ４５が複合レンズ４６と接着する際に用いる接着剤のフィレット形状の面積を大きくすることができ、スペーサ４５と複合レンズ４６との接着信頼性を向上させることができる。
【０１６１】
また、光集積素子２１は、複合レンズ４６が面積の小さい方の底面を上面として垂直断面略台形状に成形され積層されている場合と比較して、複合レンズ４６の下面の面積を変えなくても、上面の面積を大きくすることができる。すなわち、複合レンズ４６がスペーサ４５と対向する面の面積を変えなくても、複合レンズ４６が積層プリズム４７と対向する面の面積を大きくすることができる。
【０１６２】
したがって、スペーサ４５のサイズを変えなくても、複合レンズ４６が積層プリズム４７と接着する面の面積、すなわち、凸部４６Ｃの上面の面積を大きくすることができ、複合レンズ４６と積層プリズム４７との接着信頼性を向上させることができる。
【０１６３】
さらに、スペーサ４５のサイズを変えなくても、複合レンズ４６が積層プリズム４７と接着する際に用いる接着剤のフィレット形状の面積を大きくすることができ、複合レンズ４６と積層プリズム４７との接着信頼性を向上させることができる。
【０１６４】
さらに、光集積素子２１は、スペーサ４５及び複合レンズ４６がそれぞれ面積の小さい方の底面を上面として垂直断面略台形状に成形され積層されている場合と比較して、スペーサ４５の下面の面積を変えなくても、複合レンズ４６の上面の面積をさらに大きくできる。すなわち、スペーサ４５が保持基板４１と対向する面の面積を変えなくても、複合レンズ４６が積層プリズム４７と対向する面の面積をさらに大きくすることができる。
【０１６５】
したがって、保持基板４１のサイズを変えなくても、複合レンズ４６が積層プリズム４７と接着する面の面積、すなわち、凸部４６Ｃの上面の面積をさらに大きくすることができ、複合レンズ４６と積層プリズム４７との接着信頼性をさらに向上させることができる。
【０１６６】
また、保持基板４１のサイズを変えなくても、複合レンズ４６が積層プリズム４７と接着する際に用いる接着剤のフィレット形状の面積をさらに大きくすることができ、複合レンズ４６と積層プリズム４７との接着信頼性をさらに向上させることができる。
【０１６７】
ここで、具体的に、図８を用いて、本発明の光集積素子２１と、スペーサ及び複合レンズがそれぞれ面積の小さい方の底面を上面として垂直断面略台形状に成形され積層されている光集積素子８１とにおける光学部品同士が対向する面の面積の比較を示す。図８（Ａ）に本発明の光集積素子２１を示し、図８（Ｂ）に光集積素子８１を示す。
【０１６８】
この光集積素子８１は、スペーサ及び複合レンズの形状以外は、本発明の光集積素子２１と同様の構成であるとする。具体的に、光集積素子８１は、光集積素子２１の保持基板４１、スペーサ４５、複合レンズ４６、積層プリズム４７と対応する保持基板９１、スペーサ９２、複合レンズ９３、積層プリズム９４を有している。
【０１６９】
光集積素子８１では、保持基板９１の上面側に、光集積素子２１と同様に、射出成形による抜き勾配が設けられているスペーサ９２が積層され、保持基板９１と接着されている。
【０１７０】
スペーサ９２は、垂直断面略台形状で成形されており、光集積素子２１とは異なり、当該台形における長底辺に相当する底面が下面として保持基板９１と対向するようになされている。
【０１７１】
また、光集積素子８１では、光集積素子２１とは異なり、スペーサ９２の上面、すなわちスペーサ９２の断面形状の台形における短底辺に相当する底面に対して射出成形による抜き勾配が設けられている複合レンズ９３が積層され、スペーサ９２と接着されている。
【０１７２】
複合レンズ９３は、垂直断面略台形状で成形されており、光集積素子２１とは異なり、当該台形における長底辺に相当する底面が下面としてスペーサ９２と対向するようになされている。
【０１７３】
さらに、複合レンズ９３の上面、すなわち複合レンズ９３の断面形状の台形における短底辺に相当する底面に対して、積層プリズム９４が積層され、複合レンズ９３と接着されている。
【０１７４】
ここで、光集積素子２１のスペーサ４５の下面、すなわち当該スペーサ４５が保持基板４１と対向する面の面積と、光集積素子８１のスペーサ９２の下面、すなわち当該スペーサ９２が保持基板９１と対向する面の面積とを同じ大きさとする。
【０１７５】
このとき、スペーサ４５の上面、すなわち当該スペーサ４５が複合レンズ４６と対向する面の面積を、スペーサ９２の上面、すなわち当該スペーサ９２が複合レンズ９３と対向する面の面積よりも大きくすることができる。
【０１７６】
すなわち、本発明の光集積素子２１では、光集積素子８１と比較して、スペーサ４５が保持基板４１と対向する面の面積が同じでありながら、スペーサ４５が複合レンズ４６と対向する面の面積を大きくすることができる。
【０１７７】
したがって、本発明の光集積素子２１では、光集積素子８１の保持基板９１と同じサイズの保持基板４１を用いて、スペーサ４５が複合レンズ４６と接着する面の面積を大きくすることができ、スペーサ４５と複合レンズ４６との接着信頼性を向上できる。
【０１７８】
また、このとき、複合レンズ４６の上面、すなわち当該複合レンズ４６が積層プリズム４７と対向する面の面積も、複合レンズ９３の上面、すなわち当該複合レンズ９３が積層プリズム９４と対向する面の面積よりも大きくすることができる。
【０１７９】
すなわち、光集積素子８１と比較して、本発明の光集積素子２１では、スペーサ４５が保持基板４１と対向する面の面積が同じでありながら、複合レンズ４６が積層プリズム４７と対向する面の面積を大きくすることができる。
【０１８０】
したがって、本発明の光集積素子２１では、光集積素子８１の保持基板９１と同じサイズの保持基板４１を用いて、複合レンズ４６が積層プリズム４７と接着する面の面積を大きくすることができ、複合レンズ４６と積層プリズム４７との接着信頼性を向上できる。
【０１８１】
また、本発明のＤＶＤ／ＣＤ光学系６Ｄの光集積素子３１でも、光集積素子２１と同様に、スペーサ６５及び複合レンズ６６がそれぞれ面積の大きい方の底面を上面として垂直断面略台形状に成形され積層されるようにした。
【０１８２】
こうすることにより、ＤＶＤ／ＣＤ光学系６Ｄの光集積素子３１においても、上述したＢＤ光学系６Ｂの光集積素子２１とほぼ同様の作用効果を言うことができる。
【０１８３】
また、光集積素子２１において、光ビームＬ及び反射光ビームＬｒの通過部分に応じた大きさの反射膜４７Ａ、４７Ｂ及び４７Ｃを積層プリズム４７に設けるようにした。
【０１８４】
上述したように光ビームＬは発散光でなり反射光ビームＬｒは収束光でなるため、光ビームＬ及び反射光ビームＬｒの通過部分は、他の光学部品と比べ、レーザダイオード４３及び光検出部５２及び５４から最も遠い積層プリズム４７内で最も大きくなる。したがって、このように大きくなる光ビームＬ及び反射光ビームＬｒの通過部分に合わせて、積層プリズム４７の大きさを確保する必要がある。
【０１８５】
上述したように、本発明の光集積素子２１では、保持基板４１の上側にスペーサ４５及び複合レンズ４６をそれぞれ面積の大きい方の底面を上面として順次積層し、その上に積層プリズム４７を積層するようにした。
【０１８６】
こうすることにより、保持基板４１の上側にスペーサ４５及び複合レンズ４６をそれぞれ面積の小さい方の底面を上面として順次積層した場合と比較して、積層プリズム４７の大きさを確保したまま、光集積素子２１を全体として小型化することができる。
【０１８７】
ところで、光集積素子を製造する際には、各種光学部品をクランプにより両側から力を加えて固定し、接着させる位置に移動させ、接着させる光学部品に押し当てることにより部品同士を接着することが多い。
【０１８８】
このとき、光学部品がクランプにより安定して固定されていないと、接着させる位置に移動させる際に当該光学部品がクランプから外れたり、接着させる光学部品に押し当てる際に接着させる位置がずれたりして、当該光学部品を精度よく接着させにくい。
【０１８９】
ゆえに、光集積素子を精度よく製造するためには、製造過程において各種光学部品を安定して固定することが望ましい。
【０１９０】
ここで、本発明の光集積素子２１において、スペーサ４５を保持基板４１に対して接着する際に、クランプにより両側から力を加えて固定するときの略線図を図９（Ａ）に示す。スペーサ４５は、上述したように、射出成形により下面から上面に向かって幅広となる垂直断面略台形状に成形されているために、両側からの力が加わることで上向きの力が働き、固定されにくく不安定な状態となる。
【０１９１】
しかし、このとき、図９（Ａ）に示すように、突き当て器具を用いてスペーサ４５の上面側からスペーサ４５に働く上向きの力を抑えることができる。
【０１９２】
このように、本発明の光集積素子２１では、スペーサ４５を保持基板４１に接着する際に安定して固定することができる。
【０１９３】
一方、面積の小さい方の底面を上面としてスペーサ９２及び複合レンズ９３が積層される光集積素子８１において、スペーサ９２を保持基板９１に接着する際に、クランプにより両側から力を加えて固定するときの略線図を図９（Ｂ）に示す。スペーサ９２は、上述したように、下面から上面に向かって幅狭となる垂直断面略台形状に成形されているために下向きの力が働き、固定されにくく不安定な状態となる。
【０１９４】
また、このとき、接着面が下側であるために、突き当て器具を用いてスペーサ９２の下面側からスペーサ９２に働く下向きの力を抑えることができない。
【０１９５】
したがって、光集積素子８１では、スペーサ９２を保持基板９１に接着する際に安定して固定することができない。
【０１９６】
このように、本発明の光集積素子２１では、スペーサ４５が保持基板４１に接着される際に面積の小さい方の底面が接着面となることにより、光集積素子８１と比較してスペーサ４５を安定して固定することができる。
【０１９７】
同様に、複合レンズ４６も射出成形により下面から上面に向かって幅広となる垂直断面略台形状に成形されており、面積の小さい方の底面が接着面となることにより、複合レンズ４６を安定して固定することができる。
【０１９８】
また、同様に、ＤＶＤ／ＣＤ光学系６Ｄの光集積素子３１のスペーサ６５及び複合レンズ６６も射出成形により下面から上面に向かって幅広となる垂直断面略台形状に成形されている。したがって、スペーサ６５及び複合レンズ６６において、面積の小さい方の底面が接着面となることにより、当該スペーサ６５及び複合レンズ６６を安定して固定することができる。
【０１９９】
また、光集積素子では、スペーサや複合レンズなどの各種光学部品を射出成形により成形することが多い。射出成形では、溶融した所定の樹脂材料を、金型内に充填させた後、金型内で冷却させて固化させることにより、各種成形品を形づくる。
【０２００】
具体的に、金型内に充填された高温の樹脂材料は、金型との接触面から冷却され、金型に接している面と厚みの薄い部分から固化が始まり、続いて厚みが厚い部分へと固化が進行する。
【０２０１】
したがって、成形品の厚みに薄い部分と厚い部分がある場合、薄い部分は固化の速度が速く、厚い部分は固化の速度が遅くなる。このような固化の速度の違いは、成形品にゆがみや変形を生じさせるおそれがある。ゆえに、射出成形において成形しやすくするためには、成形品の厚みの差を大きくせずできるだけ均一にすることが望ましい。
【０２０２】
上述したように、本発明のＢＤ光学系６Ｂの光集積素子２１において、複合レンズ４６は、全体として射出成形により成形されており、下面から上面に向かって幅広となる垂直断面略台形状になされている。
【０２０３】
複合レンズ４６には略円錐台状の孔部４６Ｈが設けられており、孔部４６Ｈは、発散光でなる光ビームＬが上方向へ進行するに連れてそのビーム径を拡大させていくことに合わせて、その上底面が下底面よりも大きくなるようになされている。また、複合レンズ４６における抜き勾配は、孔部４６Ｈの側面の勾配とほぼ同じとなるようになされている。
【０２０４】
したがって、図１０（Ａ）に示すように、複合レンズ４６は、垂直断面において、孔部４６Ｈから側面までの厚み（図の左右方向の厚み）ｔ１が下面から上面までそれほど変化しない。
【０２０５】
このように、本発明の光集積素子２１の複合レンズ４６は、下面から上面に向かって幅広となる垂直断面略台形状であり、孔部４６Ｈの上底面が下底面よりも大きくなる形状であることより、比較的厚みを均一にすることができる。
【０２０６】
また、複合レンズ４６は、当該複合レンズ４６における抜き勾配が孔部４６Ｈの側面の勾配とほぼ同じとなるようになされていることにより、さらに厚みを均一にすることができる。
【０２０７】
一方、面積の小さい方の底面を上面として複合レンズ９３が積層される光集積素子８１における複合レンズ９３を図１０（Ｂ）に示す。
【０２０８】
複合レンズ９３は、全体として射出成形により成形されており、下面から上面に向かって幅狭となる垂直断面略台形状になされている。
【０２０９】
複合レンズ９３には孔部９３Ｈが設けられている。孔部９３Ｈは、本発明の複合レンズ４６の孔部４６Ｈと同様に、略円錐台状の空間で形成されており、光ビームＬの形状に合わせてその上底面が下底面よりも大きくなるようになされている。
【０２１０】
したがって、図１０（Ｂ）に示すように、複合レンズ９３は、垂直断面において、孔部９３Ｈから側面までの厚みｔ２が下面に近くなるほど厚くまた上面に近くなるほど薄くなってしまう。
【０２１１】
このように、光集積素子８１の複合レンズ９３は、下面から上面に向かって幅広となる垂直断面略台形状であり、孔部４６Ｈの上底面が下底面よりも小さくなる形状であることより、厚みが不均一となってしまう。
【０２１２】
したがって、本発明の光集積素子２１の複合レンズ４６は、面積の小さい方の底面を上面として複合レンズ９３が積層される場合と比較して、その厚みを均一にできることより、射出成形により成形されやすくすることができる。
【０２１３】
以上の構成によれば、光集積素子２１において、光ビームＬを出射するレーザダイオード４３と光ビームＬが光ディスク１００に反射されてなる反射光ビームＬｒを検出する光検出部５２及び５４とが保持基板４１に取り付けられている。また、光ビームＬ及び反射光ビームＬｒに対して光学処理を行う光学部品であるスペーサ４５が、射出成形により抜き勾配が設けられ光ビームＬの光軸と平行する断面において略断面台形状で成形されている。そして、スペーサ４５が、その断面形状の台形における短底辺に相当する底面が保持基板４１と対向するように保持基板４１における光ビームＬの進行方向側に積層されて接着されている。さらに、光ビームＬ及び反射光ビームＬｒに対して光学処理を行う光学部品である複合レンズ４６が、スペーサ４５の断面形状の台形における長底辺に相当する底面に対して積層されて接着されている。
【０２１４】
こうすることにより、光集積素子２１において、従来と比して、スペーサ４５が保持基板４１と対向する面の面積を変えなくても、スペーサ４５が複合レンズ４６と対向する面の面積を大きくすることができる。したがって、光集積素子２１において、例えば、光ピックアップ６内の他の部品の設計を変更するというような困難な作業を行うことなく、従来と同じサイズの保持基板４１を用いて、スペーサ４５が複合レンズ４６と接着する面の面積を大きくすることができる。
【０２１５】
かくして、光集積素子２１において、容易に、積層される光学部品であるスペーサ４５と複合レンズ４６との接着信頼性を向上できる。
【０２１６】
＜２．他の実施の形態＞
［２−１．他の実施の形態１］
尚、上述した実施の形態では、光集積素子２１に、略平板状に形成され、レーザホルダ４２、フォトディテクタ４４、端子群４１Ｔ等が取り付けられた保持基板４１を設けるようにした。
【０２１７】
これに限らず、光集積素子２１に、その他種々の構成、形状等でなる保持基板を設けるようにしてもよい。
【０２１８】
［２−２．他の実施の形態２］
また上述した実施の形態では、保持基板４１の下面側に、レーザホルダ４２を介して、ＣＡＮパッケージでなるレーザダイオード４３を取り付けるようにした。
【０２１９】
これに限らず、例えば、保持基板の上面側にレーザダイオードを取り付けるようにしてもよいし、レーザホルダを介さずにレーザダイオードを保持基板に取り付けるようにしてもよい。
【０２２０】
また、これに限らず、例えばオープンパッケージでなるレーザダイオードなど、種々の構成でなるレーザダイオードを用いるようにしてもよい。
【０２２１】
［２−３．他の実施の形態３］
さらに、上述した実施の形態では、保持基板４１の上面側に取り付けられたフォトディテクタ４４の上面に、複数の光検出器で構成された光検出部５２及び５４を設けるようにした。これに限らず、その他種々の構成でなる光検出部を設けるようにしてもよい。また、これに限らず、光検出部が保持基板に直接固定されるようにしてもよい。
【０２２２】
［２−４．他の実施の形態４］
さらに上述した実施の形態では、孔部４５Ｈ１及び４５Ｈ２が形成され、下面から上面に向かって幅広となる垂直断面台形状でなる略四角錐台状に成形されたスペーサ４５を用いるようにした。
【０２２３】
これに限らず、下面から上面に向かって幅広となる垂直断面台形状でなる略四角錐台状に成形されたスペーサであれば、種々の光集積素子及び光ピックアップの構成に応じて、その他種々の構成、形状でなるスペーサを用いるようにしてもよい。例えば、略円錐台状に成形されたスペーサを用いるようにしてもよい。
【０２２４】
さらに上述した実施の形態では、スペーサ４５に、略四角柱状の空間として形成され、光ビームＬを通過させる孔部４５Ｈ１を設けるようした。これに限らず、光ビームＬを通過させる孔部であれば、種々の光集積素子及び光ピックアップの構成に応じて、その他種々の形状でなる孔部をスペーサに設けるようにしてもよい。
【０２２５】
例えば、略円錐台状の空間として形成され、発散光でなる光ビームが進行するにつれてそのビーム径を拡大させていくことに合わせて上底面が下底面よりも大きくなるような孔部をスペーサに設けるようにしてもよい。
【０２２６】
こうすることにより、スペーサが下面から上面に向かって幅広となる垂直断面略台形状であることから、スペーサの垂直断面において孔部から側面までの厚みを比較的均一にすることができる。ゆえに、スペーサを射出成形により成形されやすくすることができる。
【０２２７】
さらに、スペーサにおける抜き勾配を当該孔部の側面の勾配とほぼ同じとなるようにしてもよい。こうすることにより、さらに、スペーサの垂直断面において孔部から側面までの厚みを均一にすることができ、スペーサを射出成形により一段と成形されやすくすることができる。
【０２２８】
さらに上述した実施の形態では、スペーサ４５に、略四角柱状の空間として形成され、反射光ビームＬｒを通過させる孔部４５Ｈ２を設けるようした。これに限らず、反射光ビームＬｒを通過させる孔部であれば、種々の光集積素子及び光ピックアップの構成に応じて、その他種々の形状でなる孔部をスペーサに設けるようにしてもよい。
【０２２９】
さらに上述した実施の形態では、スペーサ４５の下面の四隅に凸部４１Ｃを設け、その下面を接着面としてスペーサ４５と保持基板４１とを接着するようにした。これに限らず、例えば種々の形状でなる凸部を設けその下面を接着面としてもよいし、凸部を設けずスペーサ４５の下面と保持基板４１の上面とを直接接着するようにしてもよい。
【０２３０】
［２−５．他の実施の形態５］
さらに上述した実施の形態では、孔部４６Ｈ及び回折格子５１及び５３が形成され、下面から上面に向かって幅広となる垂直断面台形状でなる略四角錐台状に成形された複合レンズ４６を用いるようにした。
【０２３１】
これに限らず、下面から上面に向かって幅広となる垂直断面台形状でなる略四角錐台状に成形された複合レンズであれば、種々の光集積素子及び光ピックアップの構成に応じて、その他種々の構成、形状でなる複合レンズを用いるようにしてもよい。例えば、略円錐台状に成形された複合レンズを用いるようにしてもよい。
【０２３２】
さらに上述した実施の形態では、複合レンズ４６に、略円錐台状の空間として形成され、光ビームＬを通過させる孔部４６Ｈを設けるようした。
【０２３３】
これに限らず、光ビームＬを通過させる孔部であれば、種々の光集積素子及び光ピックアップの構成に応じて、その他種々の形状でなる孔部を複合レンズに設けるようにしてもよい。例えば、略四角柱状の空間として形成される孔部を設けるようにしてもよい。
【０２３４】
さらに、上述した実施の形態では、複合レンズ４６における抜き勾配を孔部４６Ｈの側面の勾配とほぼ同じ大きさとなるようにした。
【０２３５】
これに限らず、複合レンズ４６における抜き勾配を、樹脂材料の特性、金型の構造、成形条件などのこの他種々の要因によって定めるようにしてもよい。
【０２３６】
さらに上述した実施の形態では、複合レンズ４６の上面の四隅に、凸部４６Ｃを設け、その上面を接着面として複合レンズ４６と積層プリズム４７とを接着するようにした。これに限らず、例えば種々の形状でなる凸部を設けその上面を接着面としてもよいし、凸部を設けず複合レンズ４６の上面と積層プリズム４７の下面とを直接接着するようにしてもよい。
【０２３７】
さらに上述した実施の形態では、複合レンズ４６の下面の四隅に、凸部４６Ｄを設け、その下面を接着面として複合レンズ４６とスペーサ４５とを接着するようにした。これに限らず、例えば種々の形状でなる凸部を設けその下面を接着面としてもよいし、凸部を設けず複合レンズ４６の下面とスペーサ４５の上面とを直接接着するようにしてもよい。
【０２３８】
［２−６．他の実施の形態６］
さらに上述した実施の形態では、反射膜４７Ａ、４７Ｂ及び４７Ｃが形成され全体として略直方体状に形成された積層プリズム４７を用いるようにした。
【０２３９】
これに限らず、種々の光集積素子及び光ピックアップの構成に応じて、その他種々の構成、形状でなる積層プリズムを用いるようにしてもよい。
【０２４０】
［２−７．他の実施の形態７］
さらに、上述した実施の形態では、光ディスク装置１に、ＢＤ光学系６Ｂ及びＤＶＤ／ＣＤ光学系６Ｄを設け、ＣＤ、ＤＶＤ及びＢＤといった、使用する光ビームの波長が互いに異なる３方式の光ディスク１００に対応するようにした。
【０２４１】
これに限らず、例えば当該光ディスク装置１がＢＤのみ（すなわち１方式のみ）やＢＤ／ＤＶＤのみ（すなわち２方式）に対応するようにしてもよい。
【０２４２】
［２−８．他の実施の形態８］
さらに上述した実施の形態では、光集積素子としての光集積素子２１に、光源としてのレーザダイオード４３と、検出部としての光検出部５２及び５４と、支持部としての保持基板４１とを設けるようにした。さらに、光集積素子２１に、第１の光学部品としてのスペーサ４５と、第２の光学部品としての複合レンズ４６と、第３の光学部品としての積層プリズム４７とを設けるようにした。
【０２４３】
これに限らず、その他種々の構成でなる光源と、検出部と、支持部と、第１の光学部品と、第２の光学部品と、第３の光学部品とによって光集積素子を構成するようにしてもよい。
【０２４４】
また、これに限らず、第３の光学部品を設けないで、その他種々の構成でなる光源と、検出部と、支持部と、第１の光学部品と、第２の光学部品とによって光集積素子を構成するようにしてもよい。
【０２４５】
［２−９．他の実施の形態９］
さらに上述した実施の形態では、光ピックアップとしての光ピックアップ６に、対物レンズとしての対物レンズ９Ｂを設けるようにした。
【０２４６】
これに限らず、その他種々の構成でなる対物レンズによって光ピックアップを構成するようにしてもよい。
【０２４７】
［２−１０．他の実施の形態１０］
さらに上述した実施の形態では、光ディスク装置としての光ディスク装置１に、信号処理部としての信号処理部１３と、駆動部としてのアクチュエータ８、駆動制御部１２とを設けるようにした。
【０２４８】
これに限らず、その他種々の構成でなる信号処理部、駆動部によって光ディスク装置を構成するようにしてもよい。
【０２４９】
［２−１１．他の実施の形態１１］
さらに、本発明は、上述した実施の形態とここまで説明した他の実施の形態１乃至１０とに限定されるものではない。すなわち本発明は、上述した実施の形態とここまで説明した他の実施の形態１乃至１０の一部または全部を任意に組み合わせた形態、もしくは一部を抽出した形態も適用範囲とする。
【産業上の利用可能性】
【０２５０】
本発明は、例えば、複数方式に対応し得る光ディスク装置で広く有効利用することができる。
【図面の簡単な説明】
【０２５１】
【図１】光ディスク装置の構成（１）を示す略線図である。
【図２】光ディスク装置の構成（２）を示す略線図である。
【図３】光ディスク装置の構成（３）を示す略線図である。
【図４】光ピックアップの構成（１）を示す略線図である。
【図５】光ピックアップの構成（２）を示す略線図である。
【図６】スペーサの平面図を示す略線図である。
【図７】複合レンズの平面図を示す略線図である。
【図８】光学部品同士が対向する面の面積の比較を示す略線図である。
【図９】スペーサをクランプで固定した際の比較を示す略線図である。
【図１０】複合レンズの厚みの比較を示す略線図である。
【符号の説明】
【０２５２】
１……光ディスク装置、６……光ピックアップ、６Ｂ……ＢＤ光学系、６Ｄ……ＤＶＤ／ＣＤ光学系、８……アクチュエータ、９Ｂ、９Ｄ……対物レンズ、１１……制御部、１２……駆動制御部、１３……信号処理部、２１、３１、８１……光集積素子、４１、６１、９１……保持基板、４１Ｈ、４５Ｈ１、４５Ｈ２、４６Ｈ、６１Ｈ、６５Ｈ１、６５Ｈ２、９３Ｈ……孔部、４３、６３……レーザダイオード、４４、６４……フォトディテクタ、４５、６５、９２……スペーサ、４６、６６、９３……複合レンズ、４７、６７、９４……積層プリズム、４７Ａ、４７Ｂ、４７Ｃ、６７Ａ、６７Ｂ……反射膜、５１、５３、７１……回折格子、５２、５４、７２……光検出部、６６Ｓ……カップリングレンズ、１００、１００Ｂ、１００Ｃ、１００Ｄ……光ディスク。
【図１】
2010146660.tif 000003
【図２】
2010146660.tif 000004
【図３】
2010146660.tif 000005
【図４】
2010146660.tif 000006
【図５】
2010146660.tif 000007
【図６】
2010146660.tif 000008
【図７】
2010146660.tif 000009
【図８】
2010146660.tif 000010
【図９】
2010146660.tif 000011
【図１０】
2010146660.tif 000012